(57)【要約】      （修正有）【課題】熱で回転する回転筒式回り灯籠の回転画像体である回転筒を熱を発生しない照明器具にも装着することができる回転筒体を提供する。【解決手段】発熱しない光源を用いた照明器具に装着するための画像が描画された回転画像体１５を回転させるための回転筒１００の頂部にゼンマイバネを巻くための巻き取りハンドル１４と内部にゼンマイバネが収納された駆動部１１と該駆動部１１の下部に先端部が半円形凸部の軸を着設した駆動部脚部１６と、頂部に半円形凹部の孔が穿設された光源部に着設する回転筒支持体１８とよりなり、前記駆動部１１の下部の半円形凸部の軸を前記回転筒支持体１８の半円形凹部の孔に挿入して回転画像体１５が吊架された駆動部１１を回動自在とした照明器具に装着する回転筒１００とした。【選択図】図１
2012094264.tif 000002
【特許請求の範囲】
【請求項１】
発熱しない光源を用いた照明器具に装着するための画像が描画された回転画像体を回転させることができる回転筒であって、該回転筒は画像が描画された回転画像体が吊架された駆動部と該駆動部の下部に先端部が半円形凸部を有する駆動部脚部と頂部に前記駆動部の前記半円形凸部に係合する半円形凹部の孔が穿設された光源部に着設する回転筒支持体とよりなり、前記駆動部の前記駆動部脚部の半円形凸部を前記回転筒支持体の半円形凹部の孔に挿入して回転画像体を回動自在としたことを特徴とする照明器具に装着するための回転筒。
【請求項２】
回転筒を装着するための照明器具の発熱しない光源がＬＥＤ（light emitting diode 、発光ダイオード）であることを特徴とする請求項１に記載の回転筒。
【請求項３】
回転筒の駆動部の頂部にバネを巻くためのクランクと内部にゼンマイバネが収納されて、ゼンマイバネにより画像が描画された回転画像体が回転することを特徴とする請求項１または２のいずれかに記載の照明器具に装着するための回転筒。
【請求項４】
回転筒の駆動部に小型のモーターが収納され、小型モーターで画像が描画された回転画像体が回転することを特徴とする請求項１または２のいずれかに記載の照明器具に装着するための回転筒。
【請求項５】
回転筒の駆動部に太陽電池を着設し、コイルを励磁して磁石との吸引・反発で画像が描画された回転画像体を回転させることを特徴とする請求項１または２のいずれかに記載の照明器具に装着するための回転筒。
【請求項６】
画像が描画された回転画像体は合成樹脂製であることを特徴とする請求項１から５のいずれかに記載の照明器具に装着するための回転筒。
【請求項７】
画像が描画された回転画像体は和紙製であることを特徴とする請求項１から５のいずれかに記載の照明器具に装着するための回転筒。
【発明の詳細な説明】
【技術分野】
【０００１】
灯籠、提灯等の照明器具に装着することができる回転筒に関する。より詳しくは、灯籠、提灯等の照明器具に装着することができる画像が描画された回転画像体を有する回転筒に関する。
【背景技術】
【０００２】
回り灯籠の回転筒はロウソクや白熱球の熱によって画像が描画された回転画像体が回転して、回転画像体に描かれた画像が灯籠、提灯等の壁周面（火袋）に映し出されるものである。特許文献１の要約には、回り灯籠は内筒内に整流体を配置し、マントルで加熱されて上昇する上昇気流を、この整流体の整流羽根により天板の羽根形の傾斜方向とは反対方向に整流してから内筒の羽根形を通過させることにより、羽根形に作用する回転力を高めて大型のものでもスムーズに回転するように構成した回り灯籠が開示されている。
【０００３】
特許文献２の請求項１では、外周に半透明のシートが張られた枠体の内部に発光体を設け、その発光体と枠体の間に、透光性を有する周壁に模様が形成され、上端面に風車が取り付けられた回転筒を回動自在に設け、発光体の発熱に伴って発生した上昇気流を風車に衝突させることにより回転筒を回転させつつ、回転筒の模様を枠体のシートに投影する回り灯籠の枠体の底部に、上端部が発光体の中心部上方に位置するブラケットを立設し、そのブラケットの上端部と風車の中心部のいずれか一方に垂直方向に延びる軸を設け、他方に凹所を形成し、前記軸を凹所に係合させることにより、回転筒を支持した回り灯籠が開示されている。
【０００４】
特許文献３の請求項１には、影絵を作り出す被写体と影絵が映し出される火袋とからなる回り灯籠において、火袋を形作る枠体の上部に影絵を映し出す光源が固定されており、枠体の下部に影絵を作り出す被写体を回転させるモータが設けられた回り灯籠が開示されている。
【０００５】
特許文献４の請求項１には、上端部に籠盛りが載置される籠盛り台であって、透明又は半透明の透光性シートが張られた証明窓を有する板紙製のパネルと該パネルを支持する支柱とが立体状に組み立て可能に連結された籠盛り台本体と、立体状に組み立てられた前記籠盛り台本体の内側から前記透光性シートを証明する照明器具と、を備えた籠盛り台が開示されている。
【０００６】
特許文献５の請求項１には、基台上に配置された光源と、前記光源を囲んで配置された回転画像体と、前記画像体を囲んで配置された映写体とからなる回り灯籠において、前記回転画像体の回転中心と映写体の中心とが偏心している回り灯籠が開示されている。
【０００７】
上記のように、回転灯籠は回転筒式の回転画像体を有する回転筒を提灯や提灯等の照明器具が発する熱によって回転画像体が回転して、回転画像体に描かれた画像が灯籠、提灯等の壁周面に映し出されるものである。しかし、近年になって、発熱をしないＬＥＤ等を用いた照明器具が開発され、発熱体によって回転する回転灯籠等に装着するための回転画像体を有する回転筒が、ＬＥＤ等の発熱しない照明器具には使用できないという問題があった。
【先行技術文献】
【特許文献】
【０００８】
【特許文献１】実開平０６−８４６０９号公報
【特許文献２】特開平０８−３１５６１０号公報
【特許文献３】実用新案登録第３０２６７４１号公報
【特許文献４】特開平１０−５２３５８号公報
【特許文献５】特開平１１−１９５３０４号公報
【発明の概要】
【発明が解決しようとする課題】
【０００９】
本願発明は、提灯、灯籠等の光源が発する熱で回転する回転筒式回り灯籠の回転画像体を有する回転筒に替えて、ＬＥＤ等の熱を発生しない照明器具にも装着することができる回転画像体を有する回転筒を提供する。
【課題を解決するための手段】
【００１０】
従来、光源である電球やロウソクの発する熱によって回転筒式回り灯籠の画像が描画された回転画像体を有する回転筒が回転し、描画された画像を灯籠や、提灯の壁周面（火袋）に映し出していた。最近、ＬＥＤのような熱を発生しない光源を用いた灯籠、提灯等の照明器具が出現し、画像が描画された回転画像体を有する熱で回転する回転筒が使用できないという問題が生じてきた。そこで、ＬＥＤ等の熱を発生しない光源からなる灯籠、提灯等の照明器具にも装着することができる回転筒を提供するために鋭意検討を重ねた。その結果、熱を発生しない光源からなる照明器具に装着しても回転する、画像が描画された回転画像体を有する回転筒を提供することに成功した。
【００１１】
本発明の特徴は、発熱しない光源を用いた照明器具に装着するための画像が描画された回転画像体を回転させることができる回転筒であって、該回転筒は画像が描画された回転画像体が吊架された駆動部と該駆動部の下部に先端部が半円形凸部を有する駆動部脚部と頂部に前記駆動部の前記半円形凸部に係合する半円形凹部の孔が穿設された光源部に着設する回転筒支持体とよりなり、前記駆動部の駆動部脚部の半円形凸部を前記回転筒支持体の半円形凹部の孔に挿入して回転画像体を回動自在としたことを特徴とする照明器具に装着するための回転筒である。
【００１２】
本発明の別の特徴は、発熱しない光源がＬＥＤ（light emitting diode 、発光ダイオード）であることを特徴とする回転筒である。発熱しない光源としてＬＥＤを使用することによって、発火の恐れもなく、軽量の灯籠、提灯となり、このような照明器具に本願発明の回転筒を装着することができる。
【００１３】
本発明の別の特徴は、駆動部の頂部にバネを巻くための巻き取りハンドルと内部にゼンマイバネが収納されて、ゼンマイバネにより回転することを特徴とする照明器具に装着するための回転筒である。駆動部にゼンマイバネを使用して、画像が描画された回転画像体が静かに回転する回転筒とした。
【００１４】
本発明の別の特徴は、駆動部に小型のモーターが収納されていることを特徴とする照明器具に装着するための回転筒である。駆動部に小型モーターとボタン電池を電源として装着し、画像が描画された回転画像体が静かに回転する回転筒とした。
【００１５】
本願発明の別の特徴は、回転筒の駆動部に太陽電池を着設し、コイルを励磁して磁石との吸引・反発で画像が描画された回転画像体を回転させることを特徴とする照明器具に装着するための回転筒である。
【００１６】
本発明の別の特徴は、画像が描画された回転画像体は合成樹脂製であることを特徴とする回転筒である。画像が描画された回転画像体を合成樹脂製とすることによって、軽くて丈夫な回転筒とすることができる。
【００１７】
本発明の別の特徴は、画像が描画された回転画像体は和紙製であることを特徴とする回転筒である。画像が描画された回転画像体を和紙で製造とすることによって、情緒豊かな回転筒とすることができる。
【発明の効果】
【００１８】
発熱しない光源にＬＥＤを使用することによって、軽量の灯籠、提灯に本願発明の回転筒を装着することができる。駆動部にゼンマイバネ、又は小型モーター等を使用して、画像が描画された回転画像体が静かに回転する回転筒とした。画像が描画された回転画像体を合成樹脂製、又は和紙製とすることによって、軽くて丈夫な回転筒とすることができる。
【図面の簡単な説明】
【００１９】
【図１】回転筒の全体を示す斜視図である。
【図２】回転筒のゼンマイバネを巻き取るための巻き取りハンドルの形状の側面図である。
【図３】回転筒の駆動部を支持する回転筒支持体の斜視図である。
【図４】回転筒の光源部の斜視図である。
【図５】駆動部にゼンマイバネを着設した回転筒の斜視図である。
【図６】駆動部にボタン電池と小型モーターを着設した回転筒の斜視図である。
【図７】駆動部に太陽電池と永久磁石を着設した回転筒の斜視図である。
【図８】提灯に本願発明の回転筒を装着した斜視図である。
【図９】灯籠に本願発明の回転筒を装着した斜視図である。
【発明を実施するための形態】
【００２０】
以下に図面を用いて本発明の実施の態様についていくつかの好ましい形態を例示するが、特許請求の範囲に記載された発明の範囲を限定することを意図するものではない。
【実施例】
【００２１】
図１に示すように、本願発明の発熱しない光源を用いた照明器具に装着するための画像が描画された回転画像体を有する回転筒１００は、上部にゼンマイバネを巻き取るための巻き取りハンドル１４を着設した駆動部１１と該駆動部の下部に先端部が半円形凸部を有する駆動部脚部１６が着設され、さらに、画像が描画された回転画像体１５が吊架されている。台座２１上に光源２２を保護すると共に、回転筒を支持する回転筒支持体１８の支持体脚部２０を載置して、該回転筒支持体１８の上部に穿設された半円形凹部１９の孔に前記駆動部脚部１６を係合させる。本願発明の回転筒１００は、光源２２が発熱しないＬＥＤ（light emitting diode 、発光ダイオード）等を用いるために、回転筒の回転を制御するためにゼンマイバネ１３を用いて回転させることができる回転筒を例示している。
【００２２】
図２は、ゼンマイバネ１３を巻き取るための巻き取りハンドル１４の各種の形状を示している。図２（ａ）は蝶形状の巻き取りハンドル１４を示し、図２（ｂ）はボタン形状の巻き取りハンドル１４を示し、図２（ｃ）は平板形状の巻き取りハンドル１４を例示している。駆動部脚部１６の先端は半円形凸部１７として回転筒支持体１８の半円形凹部１９の孔に係合するようになっている。本願発明においては、回転筒１００の駆動部１１の直径を７５ｍｍとし、駆動部１１の下（１２ａ）の部分に約８ｍｍの段差を設けて、直径が７５ｍｍ、高さが１５０ｍｍの回転画像体１５を取着した。本願発明の回転筒１００の駆動部１１、回転画像体１５の大きさは、前記に限定されるものではなく、装着する行灯、提灯、灯籠、ぼんぼり等の照明器具の大きさにより決定される。
【００２３】
図３は回転筒１００を台座２１上に支持するための回転筒支持体１８を例示する。回転筒支持体１８は図３（ａ）に示すように３本足でも、図３（ｂ）に示すように４本足でも良く、回転筒を支持する回転筒支持体の形状は横揺れなどを起こさない安定な形状であれば前記形状に限定されるものではない。本願発明では回転筒支持体１８の台座２１に当接する部分（２０ａ）の直径を７０ｍｍとした。
【００２４】
図４は、光源部２２の形状を例示している。図４（ａ）に示すように頂部にＬＥＤ等による光源２３を着設し、その下に電源２３を含む電源部２２の胴部がある。図４に示す光源２３はロウソク形状をしているが、電源２３の形状は着設する提灯、灯籠等によって異なる。電源２３として通常市販されている電源部２２、電源２３を使用することができ、図４に例示する形状に限定されるものではない。図４（ｂ）は電源部２２の下部にスイッチ２５を着設している。このスイッチ２５は図４（ｃ）に例示するようにボタン形状のスイッチでも良く、スイッチ２５の形状は特に限定されるものではない。
【００２５】
図５はゼンマイバネ１３で回転する回転画像体１５を示している。巻き取りドラム１２中に収納されたゼンマイバネ１３は巻き取りハンドル１４で巻いて、ゼンマイバネ１３が巻き取られ、徐々に開放されるに従って駆動部１２が回転し、それに伴って回転画像体１５が回転する。回転画像体１５の回転回数はゼンマイバネ１３に併設された歯車１３ａ、１３ｂの組み合わせによって決定される。通常はゼンマイバネ１３を１度巻くと１〜２日間回転する。本願発明において、回転画像体１５の直径は７５ｍｍとし、高さを１５０ｍｍとした。
【００２６】
画像が描画された回転画像体１５は合成樹脂で作製することができる。一般に、透明で強度が優れており、耐衝撃性が強く、比較的高温に耐えるポリカーボネイトや、耐薬品性、耐摩耗性などに優れたポリアセタールでもよく、その合成樹脂の材質は特に限定されるものではない。
【００２７】
さらに、画像が描画された回転画像体１５は和紙で作製することもできる。和紙のほとんどは中性で紙が劣化しにくく、和紙の隙間は光をよく通す特性を有している。和紙を通る光は繊維によって屈折され、とても柔らかい光になり、和紙独特の暖かみがある。この和紙の特性を回転画像体１５に利用することによって、このような和紙の利点を回転画像体１５に十分に生かすことができる。
【００２８】
図６は、本願発明の回転部１００の駆動部１１にボタン電池２６と小型のモーター２７を収納して、駆動部１１の上部にスイッチ２５を着設した回転筒１００を例示している。ボタン電池２６と小型のモーター２７を使用することによって、軽量で静かな回転筒を提供することができる。
【００２９】
図７は、本願発明の回転筒１００の駆動部１１に小型の太陽電池２８を着設して、太陽電池２８で発電、発振回路を経由してコイル（２８ａ）を励磁し、回転画像体１５の外周面の支柱３２に取り付けた永久磁石２９の＋、−との吸引・反発で回転画像体１５が回転する構成とすることができる。
【００３０】
図８は、本願発明の回転筒１００を着設した提灯３０を例示している。提灯３０の上飾り３１と足部３４の間に支柱３２を有する提灯に、本願発明の回転筒１００を装着して火袋３３で覆っている。ＬＥＤを光源とする軟らかい光とそれによって映し出される画像は、一時の安らぎを与えてくれる。
【００３１】
図９は、本願発明の回転筒１００を着設した灯籠３５を例示している。灯籠３５の中に本願発明の回転筒１００を装着して火袋３３で覆っている。このようにして、回転画像体１５から火袋３３に映し出される画像を楽しむことができる。本願発明の回転筒１００を装着する照明器具は、行灯、提灯、灯籠、ぼんぼり等いずれでも良く、上記に例示した提灯３０、灯籠３５に限定されるものではない。
【符号の説明】
【００３２】
１００：回転筒
１１：駆動部
１２：巻き取りドラム
１３：ゼンマイバネ
１４：巻き取りハンドル
１５：回転画像体
１６：駆動部脚部
１７：半円形凸部
１８：回転筒支持体
１９：半円形凹部
２０：支持体脚部
２１：台座
２２：光源部
２３：光源
２４：電源
２５：スイッチ
２６：ボタン電池
２７：モーター
２８：太陽電池
２９：磁石
３０：提灯
３１：上飾り
３２：支柱
３３：火袋
３４：足部
３５：灯籠
【図１】
2012094264.tif 000003
【図２】
2012094264.tif 000004
【図３】
2012094264.tif 000005
【図４】
2012094264.tif 000006
【図５】
2012094264.tif 000007
【図６】
2012094264.tif 000008
【図７】
2012094264.tif 000009
【図８】
2012094264.tif 000010
【図９】
2012094264.tif 000011